(57)【要約】      （修正有）【課題】容器の高さを抑えて、詰替え式スタンドパックの底面に容易に穴を開けられる詰め替え用スタンドパックを収容する液体パック容器を提供する。【解決手段】筐体の液体パック収容部１０は、下方の幅が狭く形成されているとともに、蓋部３０には、スタンドパック底面に切開する切開手段４０が形成されている。切開手段４０は、平刃と操作体とからなる切開部材とからなり、平刃は水平方向にスライドされる。また、平刃は、水平方向とともに上下方向にスライドされてもよい。また、平刃は鞘体から出没可能とされてもよい。また、液体パック収容部の下方には、拡底部２０が形成されていてもよい。【選択図】図１
0003158055.tif 000002
【実用新案登録請求の範囲】
【請求項１】
詰め替え用スタンドパックを収容する液体パック容器であって、
前記容器をなす筐体の液体パック収容部は、前記筐体が備える向かい合う壁の少なくともいずれかが傾斜壁とされ、前記収容部の下方の幅が狭く形成されているとともに、前記容器の蓋部には、前記スタンドパック底面を切開する切開手段が形成されており、
該切開手段は、平刃と操作体とからなる切開部材とからなり、前記平刃は水平方向にスライドされる、
ことを特徴としている液体パック容器。
【請求項２】
前記切開手段は、前記平刃は上下方向にもスライド可能とされている、
ことを特徴としている請求項１の液体パック容器。
【請求項３】
前記蓋の前記平刃の両側方の位置に鞘板が形成され、前記スタンドパック底面を切開する際に、前記鞘板の間から前記平刃が出没される、
ことを特徴としている請求項１又は請求項２に記載の液体パック容器。
【請求項４】
前記液体パック収容部の下方には、拡底部が形成されている、
ことを特徴とする請求項１乃至請求項３のいずれか１項に記載の液体パック容器。
【考案の詳細な説明】
【技術分野】
【０００１】
本考案は、詰め替え用液体パックに吸い込み管を備えた注出具を装着させて、内部の液体を注出可能にする液体パック容器に関する。
【背景技術】
【０００２】
資源の有効利用が求められる環境下において、詰め替えパック内の液体が、再利用可能な容器に詰め替えられ、容器の再利用が図られている。詰め替えパックの上隅部の摘み切除部分を摘んで除去する詰め替えパックの場合には、浴室内で指先がシャンプー液で濡れている状態では切除部分が摘み切れず、また螺子付キャップが形成された詰め替えパックの場合にも高齢者では螺子付キャップを扱いにくいという課題があった。
【０００３】
こうした課題を解決するために、特許４３７９８９８号には、詰め替えパックから液体を移しかえなくてもよいように、詰め替えパックを液体パック容器に天地逆に保持し、平刃を上下方向に鞘体から出没させて詰替えパックの底に穴を開け、液体を詰替えパックから注出する技術が記載されている。同発明の場合には、平刃を上下方向に出没させる鞘体が容器の上部又は容器の内部に必要となっていた。
【先行技術文献】
【特許文献】
【０００４】
【特許文献１】特許４３７９８９８号公報
【考案の概要】
【考案が解決しようとする課題】
【０００５】
しかし、詰め替え式のスタンドパックが同じ大きさであれば、必ずしも上下方向に出没させる鞘体は必要ではない。本考案が、解決しようとする課題は、容器の高さを抑えて、詰替え式スタンドパックの底面に容易に穴を開けられる液体パック容器を提供することである。
【課題を解決するための手段】
【０００６】
本考案の第１の考案は、詰め替え用スタンドパックを収容する液体パック容器であって、前記容器をなす筐体の液体パック収容部は、前記筐体が備える向かい合う壁の少なくともいずれかが傾斜壁とされ、前記収容部の下方の幅が狭く形成されているとともに、前記容器の蓋部には、前記スタンドパック底面を切開する切開手段が形成されており、該切開手段は、平刃と操作体とからなる切開部材とからなり、前記平刃は水平方向にスライドされることを特徴としている。
【０００７】
第１の考案によれば、スタンドパックを天地逆に収容し、その平坦となった底部に平刃を食い込ませて水平方向にスライドさせることにより、スタンドパックの底面に吸込みポンプの吸込み管を挿入する穴を容易に開けることができる。これにより、容器の高さを抑えることができ、容器の見栄えがよくなり、容器が転倒しにくくなるという効果がある。
【０００８】
また、シャンプーの途中で指が濡れ、スタンドパックの端部を摘み切りにくい状態でも、また螺子付キャップが形成されたパックの螺旋キャップを高齢者が開けにくい場合でも、使いきったスタンドパックを新しいスタンドパックに取替え、その底面に容易に穴を明けることができる。また、スタンドパックの底が狭くなり、吸込み管の先端をそこに位置させることができるため液体を残さず使い切ることができる。
【０００９】
第２の考案では、第１の考案の前記パック容器であって、前記切開手段に含まれる前記平刃は上下方向にもスライド可能とされていることを特徴としている。これによりスタンドパックが異なる大きさのスタンドパックであっても、その底面に容易に穴を明けることができる。
【００１０】
第３の考案では、第１又は第２の考案のスタンドパックにおいて、前記蓋の前記平刃の両側方の位置に鞘板が形成され、前記スタンドパック底面を切開する際に、前記鞘板の間から前記平刃が出没されることを特徴としている。これにより、スタンドパックの取替えの際に平刃で指を傷つけることがなくなる。
【００１１】
第４の考案は、第１乃至第３の考案のスタンドパックにおいて、前記液体パック収容部の下方には、拡底部が形成されていることを特徴としている。これにより、スタンドパックの一部に螺旋キャップが装着されているスタンドパックであっても、拡底部に螺旋キャップ部を収容して、袋フィルムが溶着されただけで先端にキャップのないスタンドパックの場合と同様に、液体パック収容部にスタンドパックを天地逆に収容することができるようになる。
【考案の効果】
【００１２】
本考案の液体パック容器は、切開手段の上下方向の長さが短くなり、容器の高さを抑えることができ、容器が転倒しにくくなるという効果がある。
【図面の簡単な説明】
【００１３】
【図１】図１は液体パック容器の構成を示した説明図である。（実施例１）
【図２】図２は切開手段の実施例１を示した説明図である。（切開手段実施例１）
【図３】図３は切開手段の実施例２を示した説明図である。（切開手段実施例２）
【図４】図４は切開手段の実施例３を示した説明図である。（切開手段実施例３）
【図５】図５は液体パック容器の構成を示した説明図である。（実施例２）
【図６】図６は詰替え用スタンドパックの斜視図を示した説明図である。
【考案を実施するための形態】
【００１４】
蓋に形成した平刃を水平方向にスライドすることにより、切開手段の高さを抑えてスタンドパックの底面に穴を切開できるようにした。また、平刃を水平方向とともに上下方向にもスライドさせることにより、より容易にスタンドパックの底面に穴を切開することができる。
【００１５】
また、平刃は鞘体から出没可能とされていることにより安全性が向上する。また、液体パック収容部の下方には、拡底部が形成されていることにより、螺旋付キャップを備えたスタンドパックも収容することができる。
【実施例１】
【００１６】
以下、図面を参照しつつ、本発明の実施の形態について説明する。以下の説明では、同一の部品には同一の符号を付してある。それらの名称も同一である。図１は、実施例１の液体パック容器の構成を示した説明図である。
【００１７】
実施例１の液体パック容器は、液体パック収容部１０と蓋３０とから構成される。実施例１の液体パック収容部１０は、底面中央部１１を折り曲げ軸にして、液体パック収容部１０の本体部の上方が左右に開放可能とされている。液体パック容器１の上部には液体吸込み具６０の螺旋キャップ６１をねじ込んで固定する液体吸込み具固定部１２が形成されている。蓋３０には、略中央に、液体吸込み具固定部１２を差し込む穴３１が形成され、その側方には切開手段４０が形成されている。
【００１８】
使い切ったスタンドパックを新しいスタンドパックに交換した後に、液体パック収容部１０が左右から閉じられ、液体パック収容部１０の液体吸込み具固定部１２を蓋３０の穴３１に差し込んで、蓋３０が液体パック収容部１０に装着され、液体吸込み具固定部１２に液体吸込み具６０の螺旋キャップ６１が螺入されて、液体吸込み具６０付の液体注出具となる。
【００１９】
液体パック収容部１０の下方の壁は傾斜壁とされ、前記収容部の下方の幅が狭く形成されている。また、その下方には拡底部２０が形成され、螺旋キャップ付のスタンドパック（図６Ｂ参照）の螺旋キャップを該拡底部２０に収容し、螺旋キャップ付のスタンドパックであっても天地逆にスタンドパックが収容可能となっている。
【００２０】
螺旋キャップがスタンドパックの端部に形成されていても、中央部に形成されていても螺旋キャップを収容可能とされるように、拡底部２０は３分割（２２，２３，２４）されている。また、螺旋キャップが形成されていないスタンドパック（図６Ａ図参照）であっても、底部が弛まないように、３分割された拡底部２０には隔てリブ２５が形成されている。
【００２１】
また、液体パック収容部１０の壁の側面には、スタンドパックを緊張させるため、穴１３が開けられ、指でスタンドパックを押すことが可能とされている。これにより、スタンドパックの大きさが異なっても、スタンドパックの底面を緊張させ、切開手段により穴を形成することが容易になる。
【００２２】
［切開手段実施例１］
実施例１の説明で、切開手段の実施例をまとめて説明する。これらの切開手段は、実施例２においても適用可能である。図２を参照して切開手段実施例１を説明する。図２Ａ−１図、図２Ａ−２図、図２Ａ−３図は、切開手段実施例１が形成された蓋３０のＡ−Ａの断面位置において、切開手段の作用を説明する図であり、図２Ｂ図は、Ｂ−Ｂの断面位置において、蓋の構成を説明する図である。
【００２３】
図２Ｂ図に示されるように、蓋３０の穴３１の一方には、切開手段４０が水平方向にスライドされるように筋状に開放された切り欠き部３２が形成されている。蓋３０の上部には切り欠き部３２の両側方に、切り欠き部に沿って切開手段を摺動可能とする受け溝３３が形成されている。蓋３０の下方には切り欠き部３２に沿って、その両側方に鞘板３４が形成されて平刃の鞘体をなしている。
【００２４】
切開手段４０は、平刃４４と操作体４１と弾性体４３とから構成されている。平刃の両側方には前記受け溝３３に沿って摺動する軸体４２が形成されている。前記弾性体４３は、コイルバネの両端を軸状に突出させ、一方の軸状部分を前記操作体４０の下面に押しあて、他方の軸状部分を前記受け溝３３内で蓋上面に押しあてている。これにより、弾性体４３の弾発力により、平刃４４は上方に押し上げられて、その先端が鞘板３４内に収容される。
【００２５】
さて、切開手段の作用を説明する。まず、操作体４１を下方に押し平刃４４を鞘体から突出させて、スタンドパック底面に平刃４４の先端を食い込ませて、スタンドパックに穴を開ける（Ａ―２図）。次に、切り欠き部３２に沿って穴３１に向かい、操作体４１を水平方向にスライドさせて穴を拡大させ、スタンドパックの底面に吸い込み管６２（図１参照）を差込む穴を形成させる（Ａ―３図）。差し込み穴を形成した後は、操作体４１を後方にスライドさせ、弾性体４３の弾発力により平刃４４を鞘板３４内に収容させて切開操作を終了させる。
【００２６】
［切開手段実施例２］
実施例１において、別の切開手段実施例をあわせて説明する。図３を参照して切開手段実施例２を説明する。図３に示されているように切開手段実施例２は、切開手段実施例１の平刃４４の側方に鞘体を形成しない実施例である。平刃４４の側方に鞘体を形成しないことにより、切開手段の機構を簡素なものとすることができる。切開手段実施例２の場合にもスタンドパックに穴を形成させる操作は、切開手段実施例１と同様であるので、図面に同一の符号を付して説明を省略する。
【００２７】
［切開手段実施例３］
実施例１において、更に別の切開手段実施例をあわせて説明する。図４を参照して切開手段実施例３を説明する。図４Ａ−１図、図４Ａ−２図は、切開手段実施例３が形成された蓋３０のＡ−Ａの断面位置において、切開手段の作用を説明する一部切欠き断面図であり、図４Ｂ図は、Ｂ−Ｂの断面位置において、蓋の構成を説明する要部断面図である。切開手段実施例３では、切開手段実施例１と同様に、蓋３０の穴３１の一方には、切開手段４０が水平方向にスライドされるように、筋状に開放された切り欠き部３５が形成されている。この切り欠き部３５に沿って、切開手段５０がスライドされる。切開手段５０は、操作体５１と平刃５４とから構成される。平刃５４は、前記切り欠き部３５に沿って摺動可能とされるように、切り欠き部３５の両側の蓋３０の縁辺を上側板片５５と下側板片５６により挟み保持されている（図４Ｂ参照）。
【００２８】
次に、切開手段実施例３の作用を説明する。切開手段実施例３の平刃の先端は、蓋３０が液体パック収容部１０に装着された状態で、スタンドパックの底面よりも下方に突出されるように形成されている。これにより、蓋３０が液体パック収容部１０に装着されることにより、スタンドパック底面に穴の形成が可能である（図４Ａ−１図）。次に、操作体５１を穴３１に向けて前進させ、スタンドパックの穴を拡大する（図４Ａ−２図）。穴の拡大後は、操作体５１を後退させて切開操作を終了させる。
【実施例２】
【００２９】
次に、図６を参照して実施例２を説明する。実施例２では、液体パック収容部１００の下方を一体に形成し、液体パック容器１の上部の蓋板部１０１を左右に２分割して開放可能とした実施例である。蓋板部１０１は、液体パック収容部１００の向い合う壁板の上辺に沿う折り曲げ軸１０２にて、折り上げ可能となるように２分割される。使い切ったスタンドパックを新しいスタンドパックに交換した後に、折り上げていた蓋板部１０１を水平に戻して、蓋４０を装着させる。切開手段によりスタンドパックの底面に吸込み管の差込み穴を形成後に、液体吸込み具固定部１１２に、液体吸い込み具６０の螺旋キャップ６１が螺入されて、液体吸込み具６０付の液体注出具となる。
【００３０】
液体パック収容部１００の下方には、実施例１と同様に、拡底部１２０が形成され、螺旋キャップ付のスタンドパックを天地逆に収容可能としている。切開手段実施例１から切開手段実施例３のすべてが適用可能であり、その操作方法は、前記実施例１と同様であるので、ここでは、説明を省略する。本実施例によれば、下方が一体に形成されていることにより、液体パック収容部１００内で液漏れがあった場合でも、内部の液体が漏れ出すことがない。
【００３１】
・今回開示された実施の形態はすべての点で例示であって制限的なものではないと考えられるべきである。本考案の技術的範囲は上記した説明ではなくて実用新案登録請求の範囲によって示され、実用新案登録請求の範囲と均等の意味および範囲内でのすべての変更が含まれることが意図される。
【産業上の利用可能性】
【００３２】
いずれかの面が略平坦に形成されている液体パックの注出容器に適用できる。
【符号の説明】
【００３３】
１０…液体パック収容部，２０…拡底部，３０…蓋，４０…切開手段，５０…切開手段，
６０…液体吸込み具，１１…折り曲げ軸，１２…液体吸込み具固定部，１３…穴，
２２，２３，２４…拡底部，２５…隔てリブ，３１…穴，３２…切り欠き部，３３…受け溝，
３４…鞘板，３５…切り欠き部，４１…操作体，４２…軸体，４３…弾性体，４４…平刃，
５０…切開手段，５１…操作体，５４…平刃，５５…上側板片，５６…下側板片，
６１…螺旋キャップ，６２…吸い込み管，１００…液体パック収容部，１０１…蓋板部，
１１２…液体吸込み具固定部，１２０…拡底部
【図１】
0003158055.tif 000003
【図２】
0003158055.tif 000004
【図３】
0003158055.tif 000005
【図４】
0003158055.tif 000006
【図５】
0003158055.tif 000007
【図６】
0003158055.tif 000008